(57)【要約】      （修正有）【課題】就寝時等に使用する保冷具を冷蔵庫以外の手段により予め低温状態に冷却・保冷することができ、運搬や保管にも便利な保冷バッグを提供する。【解決手段】保冷バッグ１００は、外装材１０２と、断熱性を有する内装材１０３とを重合した袋基材１０４を用い、上辺部に開口部１０５を有し、内部に保冷具収納領域１０６を形成した保冷バッグ本体１０１と、開口部１０５を開口又は閉塞する線ファスナー１１２とを有する。さらに、冷気を放散するジェルを含む保冷剤１０９を入れた保冷剤パック１１０を着脱可能に収容する保冷剤パック収容部１０７と、保冷バッグ本体１０１から上方に突出する配置で取り付けた持ち手１１１と、を有し、保冷バッグ本体１０１内に保冷具１を折り畳んで入れ、保冷剤１０９が放散する冷気により冷却し内装材１０３の断熱性により保冷する。【選択図】図３
0003171274.tif 000002
【実用新案登録請求の範囲】
【請求項１】
断熱性を有する袋基材を用い、上辺部に開口部を有するとともに内部に保冷具収納領域を形成した袋状形態の保冷バッグ本体と、
前記開口部に取り付けたこの開口部を開口又は閉塞する線ファスナーと、
前記保冷バッグ本体における袋基材の前記保冷具収納領域に臨む内壁部に設けられ、冷気を放散するジェルを含む保冷剤を入れた保冷剤パックを着脱可能に収容する保冷剤パック収容部と、
前記保冷バッグ本体の上辺部から上方に突出する配置で取り付けた持ち手と、
を有し、
前記保冷バッグ本体の保冷具収納領域に入れたジェルを含む保冷媒体を入れた被保冷物を、前記保冷剤が放散する冷気により冷却し前記袋基材の断熱性により保冷するとともに、前記線ファスナーによる開口部の開閉により前記被保冷物の保冷具収納領域に対する出入と封じ込めとを可能としたことを特徴とする保冷バッグ。
【請求項２】
外装材と、アルミ蒸着処理を施し断熱性を有する内装材とを重合した袋基材を用い、前記内装材が内側を占める配置として縫製し、上辺部に開口部を有し、内部に保冷具収納領域を形成した袋状形態の保冷バッグ本体と、
前記開口部に取り付けたこの開口部を開口又は閉塞する線ファスナーと、
前記保冷バッグ本体内における前記保冷具収納領域に臨む前記内装材の内壁部に設けられ、冷気を放散するジェルを含む保冷剤を入れた保冷剤パックを着脱可能に収容するメッシュ状の生地を用いた保冷剤パック収容部と、
前記保冷バッグ本体の上辺部から上方に突出する配置で取り付けた持ち手と、
を有し、
前記保冷バッグ本体の保冷具収納領域に被保冷物であるマット状でジェルを含む保冷媒体を入れた保冷具を、前記保冷剤が放散する冷気により冷却し前記内装材の断熱性により保冷するとともに、前記線ファスナーによる開口部の開閉により前記保冷具の保冷具収納領域に対する出入と封じ込めとを可能としたことを特徴とする保冷バッグ。
【請求項３】
外装材と、アルミ蒸着処理を施し断熱性を有する内装材とを重合した袋基材を用い、前記内装材が内側を占める配置として縫製し、上辺部に開口部を有し、内部に保冷具収納領域を形成した袋状形態の保冷バッグ本体と、
前記開口部に取り付けたこの開口部を開口又は閉塞する線ファスナーと、
前記保冷バッグ本体内における前記保冷具収納領域に臨む前記内装材の内壁部に複数箇所の個別ポケット部を形成するように区画された状態で設けられ、各個別ポケット部に冷気を放散するジェルを含む保冷剤を入れた保冷剤パックを着脱可能に収容するメッシュ状の生地を用いた保冷剤パック収容部と、
前記保冷バッグ本体の上辺部から上方に突出する配置で取り付けた持ち手と、
を有し、
前記保冷バッグ本体における前記保冷具収納領域を、被保冷物であるマット状でジェルを含む保冷媒体を入れた保冷具をそのまま或いは任意回数折り畳んで入れる大きさに形成し、
前記保冷バッグ本体の保冷具収納領域にそのまま又は任意回数折り畳んで入れた被保冷物であるマット状の保冷具を、前記各個別ポケット部に収容した保冷剤が放散する冷気により冷却し前記内装材の断熱性により保冷するとともに、前記線ファスナーによる開口部の開閉により前記保冷具の保冷具収納領域に対する出入と封じ込めとを可能としたことを特徴とする保冷バッグ。
【請求項４】
外装材と、アルミ蒸着処理を施し断熱性を有する内装材とを重合した袋基材を用い、前記内装材が内側を占める配置として縫製し、上辺部に開口部を有し、内部に保冷具収納領域を形成した袋状形態の保冷バッグ本体と、
前記開口部に取り付けたこの開口部を開口又は閉塞する線ファスナーと、
前記保冷バッグ本体内における前記保冷具収納領域に臨む前記内装材の内壁部に複数箇所の個別ポケット部を形成するように区画された状態で設けられ、各個別ポケット部に冷気を放散するジェル、ポリアクリル酸ナトリウム、硫酸アンモニウム、硫酸ナトリウム、グリセリン、水、防カビ剤を含む保冷剤を入れた保冷剤パックを着脱可能に収容するメッシュ状の生地を用いた保冷剤パック収容部と、
前記保冷バッグ本体の上辺部から上方に突出する配置で取り付けた持ち手と、
を有し、
前記保冷バッグ本体における前記保冷具収納領域を、被保冷物であるマット状でジェル、ポリアクリル酸ナトリウム、硫酸アンモニウム、硫酸ナトリウム、グリセリン、水、防カビ剤を含む保冷媒体を入れた保冷具をそのまま或いは任意回数折り畳んで入れる大きさに形成し、
前記保冷バッグ本体の保冷具収納領域にそのまま又は任意回数折り畳んで入れた被保冷物であるマット状の保冷具を、前記各個別ポケット部に収容した保冷剤が放散する冷気により冷却し前記内装材の断熱性により保冷するとともに、前記線ファスナーによる開口部の開閉により前記保冷具の保冷具収納領域に対する出入と封じ込めとを可能としたことを特徴とする保冷バッグ。
【請求項５】
外装材と、アルミ蒸着処理を施し断熱性を有する内装材とを重合した袋基材を用い、前記内装材が内側を占める配置として縫製し、上辺部に開口部を有し、内部に保冷具収納領域を形成した袋状形態の保冷バッグ本体と、
前記開口部に取り付けたこの開口部を開口又は閉塞する線ファスナーと、
前記保冷バッグ本体内における前記保冷具収納領域に臨む前記内装材の内壁部に複数箇所の個別ポケット部を形成するように区画された状態で設けられて、各個別ポケット部に冷気を放散するジェル、ポリアクリル酸ナトリウム、硫酸アンモニウム、硫酸ナトリウム、グリセリン、水、防カビ剤を含む保冷剤を入れた保冷剤パックを着脱可能に収容するメッシュ状の生地を用いた保冷剤パック収容部と、
前記保冷バッグ本体の上辺部から上方に突出する配置で取り付けた持ち手と、
を有し、
前記保冷バッグ本体における前記保冷具収納領域を、被保冷物であるマット状でジェル、ポリアクリル酸ナトリウム、硫酸アンモニウム、硫酸ナトリウム、グリセリン、水、防カビ剤を含む保冷媒体を入れて、シーツサイズ、枕サイズ又はこれらの中間のハーフサイズから選定される外形サイズとした保冷具を１回或いは３回折り畳んで入れる大きさに形成し、
前記保冷バッグ本体の保冷具収納領域に入れた前記マット状の保冷具を、前記各個別ポケット部に収容した保冷剤が放散する冷気により冷却し前記内装材の断熱性により保冷するとともに、前記線ファスナーによる開口部の開閉により前記保冷具の保冷具収納領域に対する出入と封じ込めとを可能としたことを特徴とする保冷バッグ。
【考案の詳細な説明】
【技術分野】
【０００１】
本考案は、保冷バッグに関し、詳しくは、例えばマット状に形成されて就寝時等々において使用される保冷具を冷蔵庫以外の手段により予め低温状態に冷却し、かつ、保冷することができ、携帯、運搬保管にも便利である保冷バッグに関するものである。
【背景技術】
【０００２】
従来からジェルを含む保冷媒体を、枕サイズ、敷布団サイズ、シーツサイズ等の外装体内に収納して保冷具を構成し、高温期の就寝時等において、この保冷具を枕に被せて頭部を冷却したりベッド上に載置して身体の背中等を冷却したりすることが行われている。
【０００３】
このような保冷具は、例えば予め冷蔵庫に入れて低温状態に冷却した後、実際の使用に供することが一般的である。
【０００４】
しかしながら、シーツサイズ等に形成した保冷具を冷蔵庫に入れて低温状態に冷却するためには、この保冷具を複数回折り畳んで小型サイズとする必要があり、この場合には嵩張る形態となることから一般家庭に設置されている冷蔵庫に入れることは必ずしも容易ではない。
【０００５】
このため、冷蔵庫以外の手段により保冷具を低温状態に冷却し得る手段が要請されるところである。
【０００６】
特許文献１には、本考案に関連する技術として、断熱性能及び赤外線反射性能を有するシート状の複合材料を用いてバッグ形状のものに縫製し、上部に開閉用のスライドファスナーを取り付けることにより構成し、手提げも可能な保冷バッグが提案されている。
しかし、特許文献１の保冷バッグの場合、予め冷却状態とした被保冷物の保冷には効果を発揮するが、その保冷バッグ自体で被保冷物を冷却するような機能は有していない。
【先行技術文献】
【特許文献】
【０００７】
【特許文献１】特開２００２−１７３１８１号公報
【考案の概要】
【考案が解決しようとする課題】
【０００８】
本考案が解決しようとする問題点は、就寝時等々において使用される保冷具を冷蔵庫以外の手段により予め低温状態に冷却し、かつ、保冷することができ、携帯、運搬保管にも便利であるような用具が従来存在しない点である。
【課題を解決するための手段】
【０００９】
本考案に係る保冷バッグは、断熱性を有する袋基材を用い、上辺部に開口部を有するとともに内部に保冷具収納領域を形成した袋状形態の保冷バッグ本体と、前記開口部に取り付けたこの開口部を開口又は閉塞する線ファスナーと、前記保冷バッグ本体における袋基材の前記保冷具収納領域に臨む内壁部に設けられ、冷気を放散するジェルを含む保冷剤を入れた保冷剤パックを着脱可能に収容する保冷剤パック収容部と、前記保冷バッグ本体の上辺部から上方に突出する配置で取り付けた持ち手と、を有し、前記保冷バッグ本体の保冷具収納領域に入れたジェルを含む保冷媒体を入れた被保冷物を、前記保冷剤が放散する冷気により冷却し前記袋基材の断熱性により保冷するとともに、前記線ファスナーによる開口部の開閉により前記被保冷物の保冷具収納領域に対する出入と封じ込めとを可能としたことを最も主要な特徴とする。
【考案の効果】
【００１０】
請求項１記載の考案によれば、冷蔵庫以外の手段により被保冷物を予め低温状態に冷却しかつ保冷することができ、また、被保冷物を入れたままの状態で携帯、運搬、保管も便利であり、取扱性にも優れた保冷バッグを実現し提供することができる。
【００１１】
請求項２記載の考案によれば、冷蔵庫以外の手段によりマット状でジェルを含む保冷媒体を入れた保冷具を予め低温状態に冷却しかつ保冷することができ、また、その保冷具を入れたままの状態で携帯、運搬、保管も便利であり、取扱性にも優れた保冷バッグを実現し提供することができる。
【００１２】
請求項３記載の考案によれば、保冷バッグ本体における保冷具収納領域を、被保冷物であるマット状でジェルを含む保冷媒体を入れた保冷具をそのまま又は任意回数折り畳んで入れる大きさとして、冷蔵庫以外の手段によりその保冷具を予め低温状態に冷却しかつ保冷することができ、また、その保冷具を入れたままの状態で携帯、運搬、保管も便利であり、取扱性にも優れた保冷バッグを実現し提供することができる。
【００１３】
請求項４記載の考案によれば、保冷バッグ本体における保冷具収納領域を、被保冷物であるマット状でジェルを含む保冷媒体を入れた保冷具をそのまま又は任意回数折り畳んで入れる大きさとして、ジェル、ポリアクリル酸ナトリウム、硫酸アンモニウム、硫酸ナトリウム、グリセリン、水、防カビ剤を含む保冷媒体を入れた保冷具をそのまま又は任意回数折り畳んで入れる大きさとして、冷蔵庫以外の手段によりその保冷具を予め低温状態に冷却しかつ保冷することができ、また、その保冷具を入れたままの状態で携帯、運搬、保管も便利であり、取扱性にも優れた保冷バッグを実現し提供することができる。
【００１４】
請求項５記載の考案によれば、保冷バッグ本体における保冷具収納領域を、被保冷物であるマット状でジェル、ポリアクリル酸ナトリウム、硫酸アンモニウム、硫酸ナトリウム、グリセリン、水、防カビ剤を含む保冷媒体を入れ、シーツサイズ、枕サイズ又はこれらの中間のハーフサイズから選定される外形サイズとした保冷具を１回又は３回折り畳んで入れる大きさとして、冷蔵庫以外の手段によりその保冷具を予め低温状態に冷却しかつ保冷することができ、また、そのシーツサイズ、枕サイズ又はこれらの中間のハーフサイズから選定される保冷具を入れたままの状態で携帯、運搬、保管も便利であり、取扱性にも優れた保冷バッグを実現し提供することができる。
【図面の簡単な説明】
【００１５】
【図１】図１は本考案の実施例に係る保冷バッグの概略正面図である。
【図２】図２は本実施例に係る保冷バッグにおいて内装材が表出する状態に裏返した状態の概略正面図である。
【図３】図３は本実施例に係る保冷バッグにおいて線ファスナーを開いた状態を示す概略斜視図である。
【図４】図４は本実施例に係る保冷バッグにおいて線ファスナーを閉じた状態を示す概略斜視図である。
【図５】図５は本実施例に係る保冷バッグの開口部に対して折り畳んだマット状の保冷具を出入させる状態を示す説明図である。
【図６】図６は本実施例に係る保冷バッグの保冷具収納領域に収容するマット状の保冷具の多穴弾性体を表側とした状態の平面図である。
【図７】図７は本実施例に係る保冷バッグの保冷具収納領域に収容するマット状の保冷具の保冷具本体を表側とした状態の平面図である。
【図８】図８はマット状の保冷具の側面図である。
【図９】図９はマット状の保冷具の概略部分拡大断面図である。
【図１０】図１０はマット状の保冷具を構成する多穴弾性体の一部を示す部分拡大断面図である。
【図１１】図１１はマット状の保冷具の折り畳み状態を示す概略説明図である。
【図１２】図１２はハーフサイズのマット状の保冷具の多穴弾性体を表側とした状態の平面図である。
【図１３】図１３はハーフサイズのマット状の保冷具の保冷具本体を表側とした状態の平面図である。
【図１４】図１４はハーフサイズのマット状の保冷具の折り畳み状態を示す概略説明図である。
【図１５】図１５は枕サイズのマット状の保冷具の多穴弾性体を表側とした状態の平面図である。
【図１６】図１６は枕サイズのマット状の保冷具の保冷具本体を表側とした状態の平面図である。
【図１７】枕サイズのマット状の保冷具の折り畳み状態を示す概略説明図である。
【図１８】図１８は本実施例に係る保冷バッグの保冷具収納領域に収容する他例としてのシーツサイズのマット状の保冷具の概略平面図である。
【図１９】図１９は図１８に示すマット状の保冷具における外装体の製造工程中の四角形状を呈する筒状個別収容部に保冷パック体を挿入する工程を示す概略説明図である。
【図２０】図２０は図１８に示すマット状の保冷具を構成する保冷パック体の概略平面図である。
【図２１】図２１は図１８に示すマット状の保冷具を構成する保冷パック体の概略断面図である。
【図２２】図２２は図１８に示すマット状の保冷具の３回折り畳み状態を示す概略説明図である。
【図２３】図２３は本実施例に係る保冷バッグの保冷具収納領域に収容する他例としてのハーフサイズのマット状の保冷具の概略平面図である。
【図２４】図２４は図２３に示すマット状の保冷具における外装体の製造工程中の四角形状を呈する筒状個別収容部に保冷パック体を挿入する工程を示す概略説明図である。
【図２５】図２５は図２３に示すマット状の保冷具の３回折り畳み状態を示す概略説明図である。
【図２６】図２６は本実施例に係る保冷バッグの保冷具収納領域に収容する他例としての枕サイズのマット状の保冷具の概略平面図である。
【図２７】図２７は図２６に示す枕サイズのマット状の保冷具における外装体の製造工程中の２個の四角形状を呈する筒状個別収容部に保冷パック体を挿入する工程を示す概略説明図である。
【図２８】図２８は図２６に示すマット状の保冷具の１回折り畳み状態を示す概略説明図である。
【考案を実施するための形態】
【００１６】
本考案は、就寝時等々において使用される保冷具を冷蔵庫以外の手段により予め低温状態に冷却し、かつ、保冷することができ、携帯、運搬、保管にも便利である保冷バッグを実現し提供するという目的を、外装材と、アルミ蒸着処理を施し断熱性を有する内装材とを重合した袋基材を用い、前記内装材が内側を占める配置として縫製し、上辺部に開口部を有し、内部に保冷具収納領域を形成した袋状形態の保冷バッグ本体と、前記開口部に取り付けたこの開口部を開口又は閉塞する線ファスナーと、前記保冷バッグ本体内における前記保冷具収納領域に臨む前記内装材の内壁部に複数箇所の個別ポケット部を形成するように区画された状態で設けられ、各個別ポケット部に冷気を放散するジェル、ポリアクリル酸ナトリウム、硫酸アンモニウム、硫酸ナトリウム、グリセリン、水、防カビ剤を含む保冷剤を入れた保冷剤パックを着脱可能に収容するメッシュ状の生地を用いた保冷剤パック収容部と、前記保冷バッグ本体の上辺部から上方に突出する配置で取り付けた持ち手と、を有し、前記保冷バッグ本体における前記保冷具収納領域を、被保冷物であるマット状でジェル、ポリアクリル酸ナトリウム、硫酸アンモニウム、硫酸ナトリウム、グリセリン、水、防カビ剤を含む保冷媒体を入れ、シーツサイズ、枕サイズ又はこれらの中間のハーフサイズから選定される外形サイズとした保冷具を１回又は３回折り畳んで入れる大きさに形成し、前記保冷バッグ本体の保冷具収納領域に入れた前記マット状の保冷具を、前記各個別ポケット部に収容した保冷剤が放散する冷気により冷却し前記内装材の断熱性により保冷するとともに、前記線ファスナーによる開口部の開閉により前記保冷具の保冷具収納領域に対する出入と封じ込めとを可能とする構成により実現した。
【実施例】
【００１７】
以下、本考案の実施例に係る保冷バッグについて図面を参照して詳細に説明する。
【００１８】
本実施例の保冷バッグ１００は、図１〜図４に示すように、例えばポリエステル材からなる生地を用いた外装材１０２と、アルミ蒸着処理を施し断熱性を有する構造とし、前記外装材１０２の内面略全面に接着等で重合した例えばアルミ蒸着紙のような内装材１０３とからなる袋基材１０４を用い、前記内装材１０３が内側を占める配置として縫製し、上辺部に開口部１０５を有し、内部に保冷具収納領域１０６を形成した袋状形態の保冷バッグ本体１０１と、前記開口部１０５に取り付けたこの開口部１０５を開口又は閉塞する線ファスナー１１２と、前記保冷バッグ本体１０２内における前記保冷具収納領域１０６に臨む前記内装材１０３の内壁部に、複数箇所、保冷具収納領域１０６を挟む配置で片側２箇所、両側で例えば４箇所の個別ポケット部１０８を形成するように縫製により区画された状態で取り付けたポリエステル材からなるメッシュ状の生地を用いた保冷剤パック収容部１０７と、前記保冷バッグ本体１０１の上辺部から上方に突出する配置で縫製により取り付けた一対構成の例えばポリエステル製の帯状材からなる持ち手１１１と、を有している。前記保冷バッグ本体１０１は、詳細は後述するが幅Ｗｃｍ、高さＨｃｍに設定している。
【００１９】
前記各個別ポケット部１０８には、予め冷却されて冷気を放散するジェルを含む保冷剤１０９を入れた保冷剤パック１１０を各々着脱可能に収容するように構成している。この前記保冷剤パック１１０は、パック収容袋１１８に入れた状態で前記各個別ポケット部１０８に収容するようにしている。
【００２０】
前記保冷剤１０９の組成としては、例えば、ジェル、ポリアクリル酸ナトリウム、硫酸アンモニウム、硫酸ナトリウム、グリセリン、水、防カビ剤等からなる組成を挙げることができる。
【００２１】
前記開口部１０５には、縁取り材１１３の縫着により縁取りされた蓋片部１１４が内側に折り返す形態で、かつ、開口を形成するように設けられ、この蓋片部１１４の縁部に前記線ファスナー１１２を取り付けている。
前記線ファスナー１１２は、テープ１１５、エレメント（務歯）１１６及びスライダー１１７からなる公知のものを使用するものである。
【００２２】
前記保冷バッグ本体１０１の寸法例について言及すると、例えば、前記保冷バッグ本体１０１を図６、図７に示すような敷布団又はマットレス等の上に敷く保冷具１用として用いる場合には、幅Ｗ＝４７．５ｃｍ、高さＨ＝３４ｃｍとするとともにマチを７ｃｍに設定する例を挙げることができる。
前記保冷バッグ本体１０１のサイズは、保冷される保冷具のサイズに応じて自在なサイズに形成して実施することができる。そして、前記個別ポケット部１０８の数も、実施例のものに限定するものではなく、自在な数に形成して実施することができる。
【００２３】
また、前記保冷バッグ本体１０１を図１２、図１３に示すような前記保冷具１よりも小さいハーフサイズの保冷具１Ａ用として用いる場合には、幅Ｗ＝４７ｃｍ、高さＨ＝２７ｃｍとするとともにマチを８ｃｍに設定する例を挙げることができる。
更に、前記保冷バッグ本体１０１を図１５、図１６に示すような枕サイズの保冷具１Ｂ用として用いる場合には、幅Ｗ＝３２ｃｍ、高さＨ＝２４ｃｍとするとともにマチを８ｃｍに設定する例を挙げることができる。
【００２４】
そして、図５に示すように、前記保冷バッグ本体１０１の保冷具収納領域１０６に、詳細は後述する被保冷物であるマット状で保冷媒体であるジェルを含む保冷具１を例えば任意回数折り畳んだ状態で入れ、前記各個別ポケット部１０８に収容した保冷剤１０９が放散する冷気により冷却し、前記内装材１０３の断熱性により保冷するとともに、前記線ファスナー１１２による開口部１０５の開閉により前記保冷具１の保冷具収納領域１０６に対する出入と封じ込めとが可能となるように構成している。
【００２５】
次に、前記保冷バッグ本体１０１の保冷具収納領域１０６に収容する敷布団又はマットレスに対応したサイズの保冷具１について、図６乃至図１１を参照して説明する。前記保冷具１は、例えば、本願出願人が先に出願し、実用新案登録を受けた弾性保冷具に相当するものである（実用新案登録第３１５８３８９号）。
【００２６】
前記保冷具１は、例えば敷布団或いはマットレス等々の上に敷いて使用するものであり、図６乃至図９に示すように、例えば、綿材、ナイロン、ポリエステル、レーヨン、麻、起毛生地、ちりめん、楊柳、タオル地等からなる表地３と、高周波加熱により溶着可能な例えばポリ塩化ビニル（ＰＶＣ）等の非吸水性素材からなる裏地４とを重合した一方の被覆材と、同様な構成の表地３、裏地４からなる他方の被覆材とを前記裏地４同士が対向する配置で重ね合わせ、高周波加熱加工を施した外装体２と、この外装体２内に散在状態で密封収納したジェルを含む保冷媒体５と、を有する保冷具本体２１と、前記保冷具本体２１に対応するサイズに形成され、その一面に重合配置される偏平な形態の多穴弾性体３１と、前記保冷具２１の外装体２、多穴弾性体３１の四辺外周部を覆うように縫着され、前記保冷具本体２１、多穴弾性体３１を一体化した綿材のような周辺逢着材４１と、を有している。
【００２７】
前記保冷具本体２１における外装体２の形状、サイズは、矩形シート状で、例えば、シーツ用サイズ（例えば幅９０ｃｍ、長さ１４０ｃｍ）に構成している。
【００２８】
前記多穴弾性体３１の形状、サイズも、前記外装体２に対応して、矩形シート状で例えば敷布団用サイズ又はシーツ用サイズ（例えば幅９０ｃｍ、長さ１４０ｃｍ）に選定している。
【００２９】
前記保冷具本体２１における保冷媒体５は、前記両裏地４同士の高周波加熱による外周圧着部６、円環状で、かつ、放熱用の円形の抜穴（完通穴）８を有する多数の部分圧着部７及び直線状の中間圧着部９からなる各圧着部における所定の圧着パターンの基にその流動が規制される状態で外装体２内に密封収納している。
【００３０】
前記両表地３の外面側には、防かび加工を施している。また、前記外周圧着部６の外側の外縁部には側地を配置し（ヘム巻）、全周にわたって縫製加工により縫合している。
【００３１】
前記ジェルを含む保冷媒体５の組成としては、例えば、ジェル、ポリアクリル酸ナトリウム、硫酸アンモニウム、硫酸ナトリウム、グリセリン、水、防カビ剤等からなる組成を挙げることができる。
【００３２】
前記部分圧着部７は、外装体２の全体にわたって横方向に８個、縦方向に６個、合計で４８個設けている。そして、各抜穴８は、各部分圧着部７に各々例えば円形状に設けている。
【００３３】
前記部分圧着部７及び抜穴８の形成方法としては、まず、外装体２に対して高周波加熱により合計で４８個の部分圧着部７を形成し、次に、各部分圧着部７の中央部分にやはり高周波加熱により各々抜穴８を開けるものである。
【００３４】
前記中間圧着部９は、図７に示すように、外装体２に対して縦横配置に、かつ、間隔を隔てる配置に所要数形成している。
【００３５】
次に、前記多穴弾性体３１について、図６、図８乃至図１０を参照して説明する。
【００３６】
前記多穴弾性体３１は、例えば、六角形状、円形状、楕円形状、四角形状、菱形状のような形状から選定される多数の穴３２が連続して連なる形態の矩形シート状の例えばポリエステル材又はナイロン材のような網目状表地３３及び網目状裏地３４を対向配置とし、図１０に示すように、前記網目状表地３３、網目状裏地３４の対向する網材３３ａ、３４ａ間を各々間隔を隔て多数の弾性連結糸材３５（弾性連結糸材群）により連結することにより、前記網目状表地３３、網目状裏地３４間に弾性（バネ性）及び通気性を持たせた構成となっている。
【００３７】
前記弾性連結糸材３５としては、例えば、ナイロン又はテフロン（登録商標）のような材質からなるモノフィラメント又はマルチフィラメントを採用している。前記多穴弾性体３１の厚さは、例えば、３〜２０ｍｍに設定する。
【００３８】
前記各網材３３ａ、３４ａ間を、各々間隔を隔て連結する弾性連結糸材３５の連結態様は、例えば、ストレート、クロス、ストレート・クロス混合の各態様を挙げることができる。
【００３９】
そして、前記保冷具本体２１における外装体２の四辺外周部と、前記多穴弾性体３１の四辺外周部とを重ね合わせ、綿材のような周辺逢着材４１を、四辺外周部を覆うように縫着することで、前記保冷具１を構成している。
【００４０】
次に、本実施例に係る保冷バッグ１００による保冷具１の収容状態と、保冷バッグ１００の作用効果について図６、図７、図１１及び図５を参照して説明する。
図６、図７に示すような保冷具１を３回折り畳むことで、図１１に示すように外形寸法が略４５ｃｍ×略３５ｃｍの折り畳み状態の保冷具１とすることができる。
【００４１】
すなわち、保冷具１を１回折り畳むことで外形寸法が略７０ｃｍ×略９０ｃｍ、２回折り畳むことで外形寸法が略３５ｃｍ×略９０ｃｍ、３回折り畳むことで外形寸法が略３５ｃｍ×略４５ｃｍとなる。
【００４２】
これにより、３回折り畳み状態の保冷具１は、前記保冷バッグ１００の保冷具収納領域１０６に対して出入可能な外形寸法となる。
前記保冷バッグ１００により保冷具１を収容するに際しては、まず線ファスナー１１２を開いて保冷バッグ本体１０１の開口部１０５を開いた後、予め冷蔵庫等に入れて冷却した４個の保冷剤パック１１０を前記各個別ポケット部１０８に入れる。
【００４３】
次に、折り畳み状態の保冷具１を、図５に示すように、前記保冷バッグ１００の保冷具収納領域１０６内に入れた後、前記線ファスナー１１２を閉じて前記保冷具１を保冷バッグ本体１０１内に封じ込める。
【００４４】
この結果、前記保冷具１を前記保冷バッグ１００により収容したまま例えば所定の場所に保管したり、部屋の隅においたりするだけで、前記保冷具１の保冷媒体５を各個別ポケット部１０８に収容した保冷剤１０９が放散する冷気により冷却し、前記内装材１０３の断熱性により保冷することができる。
【００４５】
そして、実際に前記保冷具１を例えば敷布団又はマットレス等の上に敷いて使用しようとする場合には、線ファスナー１１２を開いて保冷バッグ本体１０１の開口部１０５を開き、前記保冷具１を取り出し、展開して図６、図７に示すような保冷具１とし、敷布団又はマットレス等の上に敷くことによって、使用者がその上に横たわり前記保冷具１の保冷媒体５が放散する冷気による身体の保冷効果を受けることができ、夏場等の高温季において快適な睡眠を行うことができる利点がある。
【００４６】
次に、前記保冷バッグ本体１０１の保冷具収納領域１０６に収容するハーフサイズの保冷具１Ａについて、図１２乃至図１４を参照して説明する。
【００４７】
前記保冷具１Ａは、既述した保冷具１の場合と略同様な構成であるが、図１２に多穴弾性体３１を表側として、図１３に保冷具本体２１を表側として各々示すように、全体サイズを例えば幅９０ｃｍ、長さ９０ｃｍとし、前記保冷具１の略半分のハーフサイズとしたことが特徴である。
【００４８】
また、この保冷具１Ａにおける前記保冷具本体２１の部分圧着部７は、図１３に示すように、外装体２の全体にわたって横方向に６個、縦方向に８個、合計で４８個設けている。そして、各抜穴８は、各部分圧着部７に例えば各々円形状に設けている。
【００４９】
このような保冷具１Ａを図１４に示すように３回折り畳むことで、外形寸法が略４５ｃｍ×略２２．５ｃｍの折り畳み状態の保冷具１Ａとすることができる。
【００５０】
すなわち、保冷具１Ａを１回折り畳むことで外形寸法が略４５ｃｍ×略９０ｃｍ、２回折り畳むことで外形寸法が略４５ｃｍ×略４５ｃｍ、３回折り畳むことで外形寸法が略４５ｃｍ×略２２．５ｃｍとなる。
【００５１】
これにより、３回折り畳み状態の保冷具１Ａは、幅Ｗ＝４７ｃｍ、高さＨ＝２７ｃｍとし、マチを８ｃｍに設定した保冷バッグ１００の保冷具収納領域１０６に対して出入可能な外形寸法となる。
【００５２】
この場合の保冷バッグ１００による保冷具１Ａの収容状態と、保冷バッグ１００の作用効果については、既述した前記保冷バッグ１００による保冷具１の収容状態と、保冷バッグ１００の作用効果と同様であり、実際に前記保冷具１Ａを例えば敷布団又はマットレス等の上に敷いて使用しようとする場合には、線ファスナー１１２を開いて保冷バッグ本体１０１の開口部１０５を開き、前記保冷具１Ａを取り出し、展開して図１２、図１３に示すような保冷具１Ａとし、敷布団又はマットレス等の上に前記保冷具１の場合よりも狭い範囲で敷くことによって、使用者がその上に横たわり前記保冷具１Ａの保冷媒体５が放散する冷気による身体の保冷効果を受けることができ、夏場等の高温季において快適な睡眠を行うことができる利点がある。
【００５３】
次に、前記保冷バッグ本体１０１の保冷具収納領域１０６に収容する枕サイズの保冷具１Ｂについて、図１５乃至図１７を参照して説明する。
【００５４】
前記保冷具１Ｂは、既述した保冷具１の場合と略同様な構成であるが、図１５に多穴弾性体３１を表側として、図１６に保冷具２１を表側として各々示すように、全体サイズを例えば幅３０ｃｍ、長さ４０ｃｍとし、枕用として構成したことが特徴である。
【００５５】
また、この保冷具１Ｂにおける前記保冷具本体２１の部分圧着部７は、図１６に示すように、外装体２の全体にわたって横方向に３個、縦方向に２個、合計で６個設けている。そして、各抜穴８は、各部分圧着部７に例えば各々円形状に設けている。
【００５６】
このような保冷具１Ｂを、図１７に示すように１回折り畳むことで、外形寸法が略３０ｃｍ×略２０ｃｍの折り畳み状態の保冷具１Ｂとすることができる。
【００５７】
これにより、１回折り畳み状態の保冷具１Ｂは、幅Ｗ＝３２ｃｍ、高さＨ＝２４ｃｍとし、マチを３ｃｍに設定した保冷バッグ１００の保冷具収納領域１０６に対して出入可能な外形寸法となる。
【００５８】
この場合の保冷バッグ１００による保冷具１Ｂの収容状態と、保冷バッグ１００の作用効果については、既述した前記保冷バッグ１００による保冷具１の収容状態と、保冷バッグ１００の作用効果と略同様であり、線ファスナー１１２を開いて保冷バッグ本体１０１の開口部１０５を開き、前記保冷具１Ｂを取り出し、展開して図１５、図１６に示すような保冷具１Ｂとし、前記保冷具１Ｂを例えば敷布団又はマットレス等の上の枕に被せて置くことにより、使用者の頭部の部分において前記保冷具１Ｂの保冷媒体５が放散する冷気による保冷効果を受けることができ、夏場等の高温季において快適な睡眠を行うことができる利点がある。
【００５９】
次に、前記保冷バッグ本体１０１の保冷具収納領域１０６に収容する別の形態の保冷具１Ｃ、１Ｄ、１Ｅについて順に説明する。
前記保冷具１Ｃは、例えば、本願出願人が先に出願し、実用新案登録を受けたマット状保冷具に相当するものである（実用新案登録第３１６７４２２号）。
【００６０】
以下に説明する各保冷具１Ｃ、１Ｄ、１Ｅついては、これらの保冷具を、前記保冷バッグ本体１０１の保冷具収納領域１０６に収容して使用する形態の他、前記実施例で説明した使用形態と同じように、予め冷蔵庫等に入れて冷却した前記保冷バッグ１００の例えば４個の保冷剤パック１１０を前記各個別ポケット部１０８に入れおき、この状態で、各保冷具１Ｃ、１Ｄ、１Ｅを保冷バッグ１００の保冷具収納領域１０６内に入れた後、前記線ファスナー１１２を閉じて各保冷具１Ｃ、１Ｄ、１Ｅを保冷バッグ本体１０１内に封じ込めて、当該保冷具１Ｃ、１Ｄ、１Ｅを前記保冷バッグ１００により収容したまま例えば所定の場所に保管したり、部屋の隅においたりするだけで保冷することができ、そして、保冷されている保冷具１Ｃ、１Ｄ、１Ｅを取り出して下記筒状個別収容部６５内に入れて使用できることは勿論である。
【００６１】
前記保冷具１Ｃは、図１８に示すように、全体として敷布団又はマットレスに対応した例えば横幅９０ｃｍ×縦幅略１４０ｃｍのシーツ用サイズに構成した四角形状の外装体６２と、前記外装体６２の四辺外周部を封止する逢着部６１と、外装体６２内の９個の筒状個別収容部６５内に並列配置に収納した例えば９個の四角形状の保冷パック体５１とを有する構成としとしている。
【００６２】
前記外装体６２は、図１９に示すように、例えば、綿材からなる四角形状の外被材６６を用いてその横幅方向で対向する２辺の端縁を接合し縫製により連結して連結部６３とし、これにより内部に前記連結部６３に沿う方向の筒状形態部分を形成し、次いで、この筒状形態部分を前記連結部６３の方向に沿い、かつ、一定間隔をもった縫製による仕切り部６４により区画して両端が開口した複数の、この場合は９個の四角形状を呈する筒状個別収容部６５を内部に形成している。
【００６３】
そして、前記外装体６２内の９個の筒状個別収容部６５内に、９個の保冷パック体５１を各々装着して収納し、外装体６２の四辺を逢着部６１により封止することで保冷具１Ｃを構成するものである。
【００６４】
前記保冷パック体５１は、図２０、図２１に示すように、例えば、綿材等からなる（外面側の）表地５３と、高周波加熱により溶着可能な非吸水性素材であるポリ塩化ビニルからなる（内面側の）裏地５４と、を有する四角形状の２枚の保冷パック用封止材を構成する被覆材５２、５２を、前記裏地５４同士を重ね合わせ、内部に詳細は後述する保冷媒体７１を封入して、高周波加熱により外周圧着部５５、内部領域における保冷媒体７１の流動を防ぐための複数箇所の部分圧着部５６を設けた平面から見て長方形状を呈する袋体状に形成している。
【００６５】
前記表地５３としては、例えば、綿材の他、繊維、ナイロン、ポリエステル、レーヨン、麻、起毛生地、ちりめん、楊柳、タオル地等々の各種素材のなかから選定することができる。
【００６６】
前記保冷媒体７１の組成としては、ジェル、ポリアクリル酸ナトリウム、硫酸アンモニウム、硫酸ナトリウム、グリセリン、水、防カビ剤を含み、柔軟な性状を呈し保冷作用を発揮するものを挙ることができる。
【００６７】
このような保冷具１Ｃを、既述した図１１に示す場合と同様にして３回折り畳むことにより、図２２に示すように、外形寸法が略４５ｃｍ×略３５ｃｍの折り畳み状態の保冷具１Ｃとすることができる。
【００６８】
これにより、３回折り畳み状態の保冷具１Ｃは、幅Ｗ＝４７．５ｃｍ、高さＨ＝３４ｃｍとし、マチを７ｃｍに設定した保冷バッグ１００の保冷具収納領域１０６に対して出入可能な外形寸法となる。
【００６９】
この場合の保冷バッグ１００による保冷具１Ｃの収容状態と、保冷バッグ１００の作用効果については、既述した前記保冷バッグ１００による保冷具１の収容状態と、保冷バッグ１００の作用効果と同様であり、実際に前記保冷具１Ａを例えば敷布団又はマットレス等の上に敷いて使用しようとする場合には、線ファスナー１１２を開いて保冷バッグ本体１０１の開口部１０５を開き、前記保冷具１Ｃを取り出し、展開して図１８、図１９に示すような保冷具１Ｃとし、敷布団又はマットレス等の上に敷くことによって、使用者がその上に横たわり前記保冷具１Ｃの保冷媒体７１が放散する冷気による身体の保冷効果を受けることができ、夏場等の高温季において快適な睡眠を行うことができる利点がある。
【００７０】
次に、保冷具１Ｄについて、図２３乃至図２５を参照して説明する。
【００７１】
前記保冷具１Ｃは、基本的構成は前記保冷具１Ｃの場合と同様であるが、図１６に示すように、全体としてマット状に形成され、例えば横幅９０ｃｍ×縦幅９０ｃｍのハーフサイズに構成した四角形状の外装体６２と、前記外装体６２の四辺外周部を封止する逢着部６１と、外装体６２内に並列配置に収納した例えば６個の四角形状の保冷パック体５１と、を有する構成としている。
【００７２】
前記外装体６２は、図１７、図１８に示すように、例えば、綿材からなる四角形状の外皮材６６を用いてその横幅方向で対向する２辺の端縁を接合し縫製により連結して連結部６３とし、これにより内部に前記連結部６３に沿う方向の筒状形態部分を形成し、次いで、この筒状形態部分を前記連結部６３の方向に沿い、かつ、一定間隔をもった縫製による仕切り部６４により区画して両端が開口した複数の、この場合は例えば６個の四角形状を呈する筒状個別収容部６５を内部に形成している。
【００７３】
そして、前記外装体６２内の６個の筒状個別収容部６５内に、６個の保冷パック体５１を各々装着して収納し、外装体６２の四辺を逢着部６１により封止する構成としている。
【００７４】
このような保冷具１Ｄを、既述した図１４に示す場合と同様にして３回折り畳むことにより、図２５に示すように、外形寸法が略４５ｃｍ×略２２．５ｃｍの折り畳み状態の保冷具１Ｄとすることができる。
【００７５】
これにより、３回折り畳み状態の保冷具１Ｄは、幅Ｗ＝４７ｃｍ、高さＨ＝２７ｃｍとし、マチを８ｃｍに設定した保冷バッグ１００の保冷具収納領域１０６に対して出入可能な外形寸法となる。
【００７６】
この場合の保冷バッグ１００による保冷具１Ｄの収容状態と、保冷バッグ１００の作用効果については、既述した前記保冷バッグ１００による保冷具１Ｃの収容状態と、保冷バッグ１００の作用効果と同様であり、実際に前記保冷具１Ｄを例えば敷布団又はマットレス等の上に敷いて使用しようとする場合には、線ファスナー１１２を開いて保冷バッグ本体１０１の開口部１０５を開き、前記保冷具１を取り出し、展開して図２３に示すような保冷具１Ｄとし、敷布団又はマットレス等の上に敷くことによって、使用者がその上に横たわり前記保冷具１Ｄの保冷媒体７１が放散する冷気による身体の保冷効果を受けることができ、夏場等の高温季において快適な睡眠を行うことができる利点がある。
【００７７】
次に、保冷具１Ｅについて、図２５乃至図２８を参照して説明する。
【００７８】
次に、本考案の実施例２に係る保冷具１について、図８乃至図１２を参照して詳細に説明する。
【００７９】
前記保冷具１Ｅは、図２６に示すように、全体としてマット状に形成され、例えば横幅４０ｃｍ×縦幅３０ｃｍの枕用サイズに構成した四角形状の外装体６２と、前記外装体６２の四辺外周部を封止する逢着部６１と、外装体６２内に並列配置に収納した例えば２個の四角形状の保冷パック体５１と、を有している。
【００８０】
前記外装体５２は、図２７に示すように、例えば、綿材からなる四角形状の外被材６６を用いてその横幅方向で対向する２辺の端縁を接合し縫製により連結して連結部６３とし、これにより内部に前記連結部６３に沿う方向の筒状形態部分を形成し、次いで、この筒状形態部分を前記連結部６３の方向に沿い、かつ、一定間隔をもった縫製による仕切り部６４により区画して両端が開口した複数の、この場合は２個の四角形状を呈する筒状個別収容部６５を内部に形成している。
【００８１】
前記外装体６２の素材としては、綿材の他、繊維、ポリエステル、レーヨン、麻、起毛生地、ちりめん、楊柳、タオル地、ナイロン、ポリ塩化ビニル等の各種素材のなかから選定することができる。
【００８２】
前記保冷パック体５１の構成は、既述した場合と同様である。
【００８３】
そして、図２７に示すように、前記外装体２の開口部分から２個の保冷パック体５１を各々筒状個別収容部６５に装着し収納した状態とした後、前記外装体６２の四辺全体にわたって側地を配置し、縫製加工により逢着（ヘム巻）することで四辺外周部を封止する逢着部６１を形成し、これにより、図２６に示すような枕用サイズの保冷具１Ｅを構成するものである。
【００８４】
このような保冷具１Ｅを、既述した図１７に示す場合と同様にして１回折り畳むことにより、図２８に示すように、外形寸法が略２０ｃｍ×略３０ｃｍの折り畳み状態の保冷具１Ｅとすることができる。
【００８５】
これにより、１回折り畳み状態の保冷具１Ｅは、幅Ｗ＝３２ｃｍ、高さＨ＝２４ｃｍとし、マチを３ｃｍに設定した保冷バッグ１００の保冷具収納領域１０６に対して出入可能な外形寸法となる。
【００８６】
この場合の保冷バッグ１００による保冷具１Ｅの収容状態と、保冷バッグ１００の作用効果については、既述した前記保冷バッグ１００による保冷具１Ｄの収容状態と、保冷バッグ１００の作用効果と略同様であり、線ファスナー１１２を開いて保冷バッグ本体１０１の開口部１０５を開き、前記保冷具１Ｅを取り出し、展開して図２６に示すような保冷具１Ｅとし、前記保冷具１Ｅを例えば敷布団又はマットレス等の上の枕に被せて置くことにより、使用者の頭部の部分において前記保冷具１Ｅの保冷媒体７１が放散する冷気による保冷効果を受けることができ、夏場等の高温季において快適な睡眠を行うことができる利点がある。
【００８７】
以上説明したように、本実施例によれば、就寝時等々において使用される各保冷具各１−１Ｅのいずれかを、収容することによって、冷蔵庫以外の手段により予め低温状態に冷却しかつ保冷することができるという斬新な効果を奏するものであり、これにより、その後、取り出して使用に供する各保冷具１−１Ｅのいずれかによって、各々高温季における就寝時等の際に使用者の身体の保冷効果を直ちに発揮させ、快適な睡眠を誘導することに大いに寄与するものである。
【００８８】
また、本実施例によれば、手提げ可能なコンパクトなバッグ形態とした構成を採用することから、各保冷具１−１Ｅのいずれかを入れた状態で携帯、運搬、保管も便利で、取扱性にも優れた保冷バッグ１００を実現することができる。
【００８９】
また、本考案の保冷バッグ１００は、上述した場合の他、カーシートサイズや座布団サイズ、ワイン保冷用シートサイズ等の各種サイズの被保冷物を入れて低温状態に冷却しかつ保冷することも可能である。
【産業上の利用可能性】
【００９０】
本考案に係る保冷バッグは、保冷剤パックを個別ポケット部に入れない状態として、書類、文具等の物品を入れて持ち運ぶ通常の手提げバッグとしても広範に活用可能である。
【符号の説明】
【００９１】
１    保冷具
１Ａ  保冷具
１Ｂ  保冷具
１Ｃ  保冷具
１Ｄ  保冷具
１Ｅ  保冷具
２    外装体
３    表地
４    裏地
５    保冷媒体
６    外周圧着部
７    部分圧着部
８    抜穴
９    中間圧着部
２１    保冷具本体
３１    多穴弾性体
３２    穴
３３    網目状表地
３３ａ  網材
３４    網目状裏地
３４ａ  網材  
３５    弾性連結糸材
４１    周辺逢着材
５１    保冷パック体
５２    被覆材
５３    表地
５４    裏地
５５    外周圧着部
５６    部分圧着部
６１    逢着部
６２    外装体
６３    連結部
６４    仕切り部
６５    筒状個別収容部
６６    外被材
７１    保冷媒体
１００    保冷バッグ
１０１    保冷バッグ本体
１０２    外装材
１０３    内装材
１０４    袋基材
１０５    開口部
１０６    保冷具収納領域
１０７    保冷剤パック収容部
１０８    個別ポケット部
１０９    保冷剤
１１０    保冷剤パック
１１１    持ち手
１１２    線ファスナー
１１３    縁取り材
１１４    蓋片部
１１５    テープ
１１６    エレメント
１１７    スライダー
１１８    パック収容袋
【図１】
0003171274.tif 000003
【図２】
0003171274.tif 000004
【図３】
0003171274.tif 000005
【図４】
0003171274.tif 000006
【図５】
0003171274.tif 000007
【図６】
0003171274.tif 000008
【図７】
0003171274.tif 000009
【図８】
0003171274.tif 000010
【図９】
0003171274.tif 000011
【図１０】
0003171274.tif 000012
【図１１】
0003171274.tif 000013
【図１２】
0003171274.tif 000014
【図１３】
0003171274.tif 000015
【図１４】
0003171274.tif 000016
【図１５】
0003171274.tif 000017
【図１６】
0003171274.tif 000018
【図１７】
0003171274.tif 000019
【図１８】
0003171274.tif 000020
【図１９】
0003171274.tif 000021
【図２０】
0003171274.tif 000022
【図２１】
0003171274.tif 000023
【図２２】
0003171274.tif 000024
【図２３】
0003171274.tif 000025
【図２４】
0003171274.tif 000026
【図２５】
0003171274.tif 000027
【図２６】
0003171274.tif 000028
【図２７】
0003171274.tif 000029
【図２８】
0003171274.tif 000030